(57)【要約】【課題】インバータ回路から映像信号への妨害を見えにくくさせる。【解決手段】バックライトの明るさを制御するＰＷＭパルスを発生させるＰＷＭ調光回路と、ユーザーが任意の明るさにバックライトを調整するためのユーザーＩ／Ｆ手段と、ユーザーＩ／Ｆからの情報を基にＰＷＭ調光回路からの出力パネルのＤｕｔｙを制御するために制御信号を出力するマイコンと、管電流検出回路からの検出電流によってインバータの発振周波数を制御するとともにＰＷＭ調光回路からの調光信号によって発振周波数の停止を制御する発振回路と、発振回路からの出力であるインバータ制御信号を入力としてトランスを駆動するための駆動回路と、冷陰極管を駆動するトランスと、液晶パネルを発光させる冷陰極管と、冷陰極管に流れる電流を検出する管電流検出回路と、液晶パネルを駆動する垂直同期信号をフレーム毎に異なる遅延量で遅延させる遅延制御回路とを備える。【選択図】図１
2006039345.tif 000002
【特許請求の範囲】
【請求項１】
バックライトの輝度をＰＷＭパルスのＯＮ／ＯＦＦの期間の長さにより制御するＰＷＭ調光方式のインバータ回路において、前記ＰＷＭパルスの周波数を液晶パネルを駆動する垂直同期信号に同期させるとともに、フレームごとにその位相をオフセットさせることで、インバータ回路から映像信号への妨害を見えにくくさせるバックライト調光装置。
【請求項２】
バックライトの明るさを制御するＰＷＭパルスを発生させるＰＷＭ調光回路と、ユーザーが任意の明るさにバックライトを調整するためのユーザーＩ／Ｆ手段と、前記ユーザーＩ／Ｆからの情報を基にＰＷＭ調光回路からの出力パネルのＤｕｔｙを制御するために制御信号を出力するマイコンと、管電流検出回路からの検出電流によってインバータの発振周波数を制御するとともに前記ＰＷＭ調光回路からの調光信号によって前記発振周波数の停止を制御する発振回路と、前記発振回路からの出力であるインバータ制御信号を入力としてトランスを駆動するための駆動回路と、冷陰極管を駆動するトランスと、液晶パネルを発光させる冷陰極管と、前記冷陰極管に流れる電流を検出する管電流検出回路と、液晶パネルを駆動する垂直同期信号をフレーム毎に異なる遅延量で遅延させる遅延制御回路とを備えたことを特徴とするバックライト調光装置。
【発明の詳細な説明】
【技術分野】
【０００１】
本発明は液晶テレビ、液晶ディスプレイ等のバックライト用インバータで用いられるバックライト調光、特にバースト調光の制御に関するものである。
【背景技術】
【０００２】
一般に、液晶テレビや液晶ディスプレイ等の液晶を用いた映像機器は冷陰極管を用いるバックライトで発光し画像表示を行っている。インバータ回路はバックライトを制御、駆動するための信号を作成する回路である。通常バックライトの明るさを制御するにはインバータ回路の入力直流電圧もしくは入力電流を変化させて冷陰極管に流れる管電流を変化させて調光する電流（電圧）調光方式と、ＰＷＭパルスにより発振周波数の発振／停止を制御するバースト調光（ＰＷＭ調光）方式とがある。前者はインバータからのノイズ（可聴音）が小さい、安定であるという利点があるものの調光範囲が狭いという欠点がある。一方後者は調光範囲が広いという利点があり、ユーザーにバックライトの調整を行わせる機能等で用いられている。前述のＰＷＭ調光方式の例としては特許文献１などがある。
【０００３】
図３は従来のＰＷＭ調光方式の一例を示した図であり、図４は従来のバックライト調光によるノイズの影響の低減を強調してあらわした模式図である。ＰＷＭ調光回路１はユーザーＩ／Ｆ手段２よりのバックライト調整値をもとにマイコン３で設定すべきＰＷＭパルスのＤｕｔｙを計算し、発振回路４の発振の有無を制御する。冷陰極管７に流れる電流を管電流検出回路８で検出し、発振回路４の発振周波数を制御する。発振回路４の出力は駆動回路５を経てトランス６を駆動し、冷陰極管７を発行させることとなる。このときＰＷＭ調光回路のＰＷＭパルスは液晶パネルを駆動する垂直同期信号に同期した周波数で作成される。このことにより特許文献１で述べられているように液晶パネルの走査周波数と前記調光信号の周波数が干渉を起こし干渉縞を生じることなく冷陰極管を発光することが可能となる。
【特許文献１】特開平１１−１２６６９６号公報
【発明の開示】
【発明が解決しようとする課題】
【０００４】
しかし昨今の液晶テレビおよび液晶ディスプレイ等は高機能、高性能化にともない、その回路規模が著しく増大しており、部品の高密度実装化とあいまって、ノイズに対する影響は受けやすくなってきている。そのなかで上述のように液晶パネルの走査周波数（垂直周波数）とＰＷＭ調光の調光信号が同期している場合、垂直周波数は６０Ｈｚなどと低いため、インバータ回路から発生するノイズも低い周波数となる。それにより図４に示すように液晶パネルの表示画面に同期した横線状のノイズが画面に現れることとなる。一般的にノイズを抑圧するにはコンデンサやコイル（インダクタ）を用いたフィルタを構成することになる。ノイズが高い周波数帯域であれば容易に前述したフィルタで抑圧することが可能であるが、ノイズが低い周波数の場合は抑圧することが困難であるという課題がある。
【課題を解決するための手段】
【０００５】
本発明の請求項１に記載の発明は、バックライトの輝度をＰＷＭパルスのＯＮ／ＯＦＦの期間の長さにより制御するＰＷＭ調光方式のインバータ回路において、前記ＰＷＭパルスの周波数を液晶パネルを駆動する垂直同期信号に同期させるとともに、フレームごとにその位相をオフセットさせることで、インバータ回路から映像信号への妨害を見えにくくさせる作用を有することを特徴とする。
【０００６】
請求項２に記載の発明は、バックライトの明るさを制御するＰＷＭパルスを発生させるＰＷＭ調光回路と、ユーザーが任意の明るさにバックライトを調整するためのユーザーＩ／Ｆ手段と、前記ユーザーＩ／Ｆからの情報を基にＰＷＭ調光回路からの出力パネルのＤｕｔｙを制御するために制御信号を出力するマイコンと、管電流検出回路からの検出電流によってインバータの発振周波数を制御するとともに前記ＰＷＭ調光回路からの調光信号によって前記発振周波数の停止を制御する発振回路と、前記発振回路からの出力であるインバータ制御信号を入力としてトランスを駆動するための駆動回路と、冷陰極管を駆動するトランスと、液晶パネルを発光させる冷陰極管と、前記冷陰極管に流れる電流を検出する管電流検出回路と、液晶パネルを駆動する垂直同期信号をフレーム毎に異なる遅延量で遅延させる遅延制御回路とを備えたことを特徴とする。
【発明の効果】
【０００７】
以上のように本発明によれば、バックライトの輝度をＰＷＭパルスのＯＮ／ＯＦＦの期間の長さにより制御するＰＷＭ調光方式のインバータ回路において、前記ＰＷＭパルスの周波数を液晶パネルを駆動する垂直同期信号に同期させるとともに、フレームごとにその位相をオフセットさせることで、インバータ回路から映像信号への妨害を見えにくくさせる作用を有するバックライト調光装置を提供することが可能となる。
【発明を実施するための最良の形態】
【０００８】
（実施の形態１）
図１は本発明のバックライト調光装置の構成図の一例であり、図２はバックライト調光によるノイズの影響の低減を強調してあらわした模式図である。
【０００９】
図１において、１はバックライトの明るさを制御するＰＷＭパルスを発生させるＰＷＭ調光回路、２はユーザーが任意の明るさにバックライトを調整するためのユーザーＩ／Ｆ手段、３は前記ユーザーＩ／Ｆからの情報を基にＰＷＭ調光回路からの出力パネルのＤｕｔｙを制御するために制御信号を出力するマイコン、４は管電流検出回路からの検出電流によってインバータの発振周波数を制御するとともに前記ＰＷＭ調光回路からの調光信号によって前記発振周波数の停止を制御する発振回路、５は前記発振回路からの出力であるインバータ制御信号を入力としてトランスを駆動するための駆動回路、６は冷陰極管を駆動するトランス、７は液晶パネルを発光させる冷陰極管、８は前記冷陰極管に流れる電流を検出する管電流検出回路、９は液晶パネルを駆動する垂直同期信号をフレーム毎に異なる遅延量で遅延させる遅延制御回路である。以下に具体的な動作を説明する。
【００１０】
ＰＷＭ調光回路１はユーザーＩ／Ｆ手段２よりのバックライト調整値をもとにマイコン３で設定すべきＰＷＭパルスのＤｕｔｙを計算し、発振回路４の発振の有無を制御する。冷陰極管７に流れる電流を管電流検出回路８で検出し、発振回路４の発振周波数を制御する。発振回路４の出力は駆動回路５を経てトランス６を駆動し、冷陰極管７を発行させることとなる。このときＰＷＭ調光回路のＰＷＭパルスは液晶パネルを駆動する垂直同期信号に同期した周波数で作成されるが、その位相は遅延制御回路９によりフレーム毎に異なる遅延量で制御される。そうすることにより図２で示すがごとくインバータ制御信号の変化点は液晶パネル画面上の特定のラインに集中せずフレーム毎に分散されることになり、液晶パネルの応答速度、および目の積分作用によりインバータ回路からのノイズは目立たなくなる。
【産業上の利用可能性】
【００１１】
本発明にかかるバックライト調光装置は、ＰＷＭ調光方式のインバータ回路から映像信号への妨害を見えにくくさせることが可能となるものであり、液晶テレビ、液晶ディスプレイ等において有用である。
【図面の簡単な説明】
【００１２】
【図１】本発明のバックライト調光装置のブロック図を示した図
【図２】本発明のバックライト調光によるノイズの影響の低減を強調してあらわした模式図
【図３】従来のバックライト調光装置のブロック図を示した図
【図４】従来のバックライト調光によるノイズの影響の低減を強調してあらわした模式図
【符号の説明】
【００１３】
１    ＰＷＭ調光回路
２    ユーザーＩ／Ｆ手段
３    マイコン
４    発振回路
５    駆動回路
６    トランス
７    冷陰極管
８    管電流検出回路
９    遅延制御回路
【図１】
2006039345.tif 000003
【図２】
2006039345.tif 000004
【図３】
2006039345.tif 000005
【図４】
2006039345.tif 000006